(57)【要約】【課題】力加減が容易で扱いやすく、洗浄効果の高い浴用の人体洗浄具を提供する。【解決手段】細長形状の本体の両端を折曲し、この折曲側の本体側面に洗浄体を設けたことを特徴とする。【選択図】      図４
2005246014.tif 000002
【特許請求の範囲】
【請求項１】
細長形状の本体の両端を折曲し、この折曲側の本体側面に洗浄体を設けたことを特徴とする浴用人体洗浄具。
【請求項２】
折曲部に代えて、本体両端に回動体を回動可能に設けることにより、任意の角度を有する洗浄具として利用可能に構成してなる請求項１記載の浴用人体洗浄具。
【請求項３】
本体に対し洗浄体を着脱可能に設けてなる請求項１または２記載の浴用人体洗浄具。
【発明の詳細な説明】
【技術分野】
【０００１】  この発明は、入浴時における人体用の洗浄具に関する。
【背景技術】
【０００２】  従来より、入浴時の人体洗浄手段としては、スポンジやあかすりが多用され、またあかすり等の両側に紐を取り付けたものもあるが、本発明にて示すように、棒体にブラシやあかすりを取り付けて使用するものは現在のところ見当たらない。
【発明の開示】
【発明が解決しようとする課題】
【０００３】  入浴時に人体を洗うとき、石鹸などの洗剤をスポンジやあかすりに含ませ、これを手に持って洗うことが多いが、背中などは手が届きにくく十分な洗浄を行いにくい。
そのため、スポンジやあかすりの両側に紐を取り付け、この紐を手に持ってあかすり部分等を背中にあてて紐を往復動させると、あかすりも背中に押圧接触しながら往復動して、この操作にて背中部分の洗浄を行うものが市販されている。しかし、紐を引く力の大半は紐の引張方向となるため、背中への押圧が不十分となりがちで洗浄効果に不満が残るという問題があった。
本発明は、以上のような従来からの人体洗浄手段に関わる課題を解決するために発明されたもので、力が入りやすくその往復動作も容易なる新規かつ有効なる浴用の人体洗浄手段を提供することを目的としたものである。
【課題を解決するための手段】
【０００４】  課題を解決する手段として本発明は、両端を鈍角に折曲した本体に洗浄体を設けてその主要部を構成した。
すなわち、細長形状の本体の両端を折曲し、この折曲側の本体側面に洗浄体を設ける。  本発明は以上の構成よりなる浴用人体洗浄具である。。
【発明の効果】
【０００５】  本発明によれば、本体としての棒体中央側面に洗浄体を設け、本体両端は本体に対し斜方に位置しているので、本体端部を握って洗浄体を背中に押し当てて洗浄作業をすることができ、人体に対する洗浄体の位置設定と押圧力の加減が容易となるため、容易かつ有効に人体、とくに背中部分の洗浄を行うことのできる有用なる物品を提供することができる。
なお、握り柄を本体に対し回動可能に設けることにより、使用者の身長や体形にも順応し易いものとなる。
【発明を実施するための最良の形態】
【０００６】  以下、本発明の実施形態について説明する。
図において、１は本体で、適宜長・外径の合成樹脂製管体の両端を鈍角に折曲して形成され、その両端には略環状の握り柄２が固着される。３は挿入孔で、本体中央から所定距離を持って本体下面に斜方に穿設される一対の孔である。４は洗浄体としてのブラシで、２本の金属線をよじってなる芯線５間に合成樹脂線よりなるブラシ体６を介在させて略円筒形状としたものであり、芯線長は挿入孔間距離よりやや長く形成される。
本発明の使用時は、まず芯線の一方を挿入孔に差し込み、芯線を撓ませて他方の挿入孔に芯線他方を挿入する。この芯線はより線のため復元力を有するので本体内部に押圧接触し、本体にブラシが保持される。すなわち、図４の状態となる。
そしてブラシ体に洗剤を含ませてから、一方の握り柄を片方の手に持ち、他方の握り柄を他方の手に持ってブラシを背中に押し当て、本体を上下動させる。するとブラシは背中に押圧接触しながら摩擦することとなり、背中の洗浄を行うことができる。
この本体位置すなわちブラシの人体に対する位置を変えて任意の個所の洗浄ができる。  従来品と異なり、本発明は棒体にブラシが取り付けられているので、力加減により人体への押圧力を容易に変化させることができ、洗浄力を高めて状況に応じた使用が可能となる。なお、ブラシに代えてスポンジや縫製品によるあかすりを取り付けて使用してもよい。【０００７】  図６〜図７は本発明の他例を示すものである。
図において、１０は主体で、適宜長・外径の合成樹脂製管体の両端に、合成樹脂製の互いに平行に位置する一対の側板１１を固着したものである。１２は回動体で、握り柄２に連続して回動板１３が一体に形成されたものである。この回動板の端部近傍および側板の端部近傍には貫通孔が各々穿設され、側板間に回動板を孔をそろえて位置させ、段部を有する雄ネジよりなる軸１４をこの貫通孔に挿入し、側板より突出した雄ネジ部分に蝶ネジ１５が螺着する。側板間距離と回動板厚さは近似の寸法であり、蝶ネジの締め具合によって主体に対して回動体を回動させる場合の力加減を調整することができる。
なお、前例同様に挿入孔３が穿設され、ブラシを挿入係止することができる。
本例の使用に際しては、前例同様にブラシを取り付けて用いるが、主体に対して握り柄の位置・角度を変えられるところに本例の特徴がある。【０００８】  図７にて示すように、主体両側の側板間に回動板が回動可能に位置し、この回動板と一体に握り柄が設けられている。使用時は蝶ネジを少しゆるめて回動板への押圧を弱めることで回動体は主体に対し自由に回動することとなるので、任意の位置・角度に回動体すなわち握り柄を調整した後、蝶ネジを締めて握り柄の位置を固定して用いることができる。
また、図６の仮想線にて示すように、回動体を折り畳むことができるので、不使用時の収納や運搬に便利である。
さらに、主体の両側面に挿入孔を設けて、一方にブラシを他方にあかすりを取り付けて、回動体の位置を変化させることにより、ブラシとあかすりを使い分けることができる。
本発明については以上記したが、本発明は棒体に洗浄体を設けたところに特色を有している。従来品は洗浄体に紐を取り付けた構成のため、人体に対する押圧が不十分で洗浄力に難点があったが、本発明は棒体を握って使用するためにこの押圧力を得やすく、その力加減も容易となったのであり、より便利な洗浄用具となったのである。
なお、実施形態では合成樹脂管体にて本体および主体を形成したが、金属や木製の管体としてもよく、管体に代えて棒体としてもよい。また、既述の例では本体および主体を単一物品としたが、互いに係着可能な２物品に形成し、係着させて使用する方式としてもよい。あるいは、実施形態のように本体にブラシを取り付けるのではなく、本体とブラシを固定一体化してもよい。本体の一部に小環状の紐や金具を設けると、吊り下げ収納保持ができる。
本発明は入浴時の人体洗浄用物品であるが、本体を長くして物品や壁面の掃除、高い位置にある窓の清掃に用いることも可能である。
以上のごとく、本発明により容易かつ能率よく人体の洗浄ができる有用なる物品を得ることができる。
【図面の簡単な説明】
【０００９】
【図１】本発明の本体の正面図
【図２】本発明の本体の底面図
【図３】本発明のブラシの正面図
【図４】本発明のブラシ装着状態の正面図
【図５】本発明のあかすり装着状態の正面図
【図６】本発明の他例の説明図（正面視）
【図７】本発明の他例の要部構造説明図（Ａ矢視）
【図８】本発明の使用状態図
【符号の説明】
【００１０】  １  本体
２  握り柄
３  挿入孔
４  ブラシ
５  芯線
６  ブラシ体
７  あかすり
１０  主体
１１  側板
１２  回動体
１３  回動板
１４  軸
１５  蝶ネジ
【図１】
2005246014.tif 000003
【図２】
2005246014.tif 000004
【図３】
2005246014.tif 000005
【図４】
2005246014.tif 000006
【図５】
2005246014.tif 000007
【図６】
2005246014.tif 000008
【図７】
2005246014.tif 000009
【図８】
2005246014.tif 000010